(57)【特許請求の範囲】
【請求項１】
上部レール及び下部レールに沿って移動できるようにした引き戸において、戸車を備えた引き戸の下部に引き戸の全長に亘って、戸車の下部を露出可能とし、かつ引き戸の上下方向に昇降可能に嵌挿した断面コ字形のチャンネル座を配設するとともに、該チャンネル座の平面状の下底面に、戸車を配設した箇所を除くチャンネル座の全長に亘って、戸車が嵌入して走行する下部レールの断面三角形の溝と嵌合する断面三角形の突条片を突設し、前記チャンネル座を引き戸の下部方向へ引き戸の荷重に抗して押し下げ、引き戸を持ち上げ、上部レール及び下部レール間に隙間が生じないように固定するようにしたチャンネル座調整装置を引き戸内に配設したことを特徴とする間仕切り壁体を兼ねた引き戸。
【請求項２】
チャンネル座調整装置を、引き戸の外部からの操作により、チャンネル座を昇降可能に構成したことを特徴とする請求項１記載の間仕切り壁体を兼ねた引き戸。
【請求項３】
請求項１又は２記載の間仕切り壁体を兼ねた引き戸と、柱部材とからなり、柱部材を、天井面及び床面に配設したレールの位置に着脱可能に配設するようにしたことを特徴とする間仕切り壁体を兼ねた引き戸を用いた間仕切り構造。
【発明の詳細な説明】
【０００１】
【発明の属する技術分野】
本発明は、間仕切り壁体を兼ねた引き戸及びこの引き戸を用いた間仕切り構造に関し、特に、通常は引き戸として使用し、間仕切りが必要なときに、引き戸を１列状に配列することにより、しかも天井面、床面との間に隙間が生じることのない間仕切り壁体としても使用できるようにした間仕切り壁体を兼ねた引き戸及びこの引き戸を用いた間仕切り構造に関するものである。
【０００２】
【従来の技術】
従来、引き戸を間仕切り壁として使用する場合、複数列のレール上に配設した引き戸を、間仕切り位置のレール以外に嵌め合わされている引き戸を外し、間仕切り位置となるレールに１列状に各引き戸を配列し、さらに、隣接する引き戸間に段差が生じることがないように、引き戸端面に形成した凹凸面を嵌め合わせ、引き戸を１枚の壁状の間仕切り壁として使用するものが提案されている。
【０００３】
【発明が解決しようとする課題】
ところで、上記従来の間仕切り兼用引き戸においては、上下に対向するレールより引き戸を外し、そのまま間仕切り位置のレールに１列状に配列するように嵌め合わせることにより、隣接する引き戸の縦方向の端面間に互いに嵌め合わせられるように形成した凹凸により、隣接する引き戸間に隙間が生じることなく、１列状に隣接配列することができるが、その反面、天井面と引き戸上部との間及び床面と引き戸下部との間に、引き戸として使用していたときと同じように引き戸を移動するために必要な隙間が生じ、間仕切りして使用する場合、この天井面と引き戸上部との間及び床面と引き戸下部との間の隙間から、隣室の照明の光線や、喫煙者の煙、会話の声などが漏れ、間仕切り兼用引き戸によって仕切られた空間の防音性及び密閉性を保つことができないという問題があった。
【０００４】
本発明は、上記従来の間仕切り兼用の引き戸の有する問題点に鑑み、引き戸を間仕切り壁として使用する際に、天井面と引き戸上部との間及び床面と引き戸下部との間に隙間が生じないようにして、間仕切り兼用引き戸によって仕切られた空間の防音性及び密閉性を保つことができるようにした間仕切り壁体を兼ねた引き戸を提供することを第１の目的とする。
【０００５】
また、本発明は、間仕切り壁体を兼ねた引き戸を用いることにより、多様な間取りを実現することができる間仕切り構造を提供することを第２の目的とする。
【０００６】
【課題を解決するための手段】
上記第１の目的を達成するため、本発明の間仕切り壁体を兼ねた引き戸は、上部レール及び下部レールに沿って移動できるようにした引き戸において、戸車を備えた引き戸の下部に引き戸の全長に亘って、戸車の下部を露出可能とし、かつ引き戸の上下方向に昇降可能に嵌挿した断面コ字形のチャンネル座を配設するとともに、該チャンネル座の平面状の下底面に、戸車を配設した箇所を除くチャンネル座の全長に亘って、戸車が嵌入して走行する下部レールの断面三角形の溝と嵌合する断面三角形の突条片を突設し、前記チャンネル座を引き戸の下部方向へ引き戸の荷重に抗して押し下げ、引き戸を持ち上げ、上部レール及び下部レール間に隙間が生じないように固定するようにしたチャンネル座調整装置を引き戸内に配設したことを特徴とする。
【０００７】
この間仕切り壁体を兼ねた引き戸は、戸車を備えた引き戸の下部に、戸車の下部を露出可能とし、かつ引き戸の上下方向に昇降可能に嵌挿したチャンネル座を配設し、このチャンネル座を、引き戸下部に配設したチャンネル座調整装置を操作することにより、引き戸の下部方向へ引き戸の荷重に抗して押し下げ、引き戸を持ち上げるようにして、天井面（上部レール）と引き戸上部との間及び床面（レール）と引き戸下部との間に隙間が生じないようにするとともに、チャンネル座の押し下げ力により、引き戸を、天井面（上部レール）と床面（レール）との間に、確実に固定することができ、これによって、簡易に間仕切り壁を形成することができる。
【０００８】
そして、チャンネル座を押し下げるだけで、戸車に代わって突条片がレールに嵌合され、かつ引き戸が持ち上げられるようになり、レールと引き戸との間に隙間のない仕切り壁が形成され、かつレールに突条片が係止されているので、引き戸が側面から押圧力を受けても妄りに外れることなく、安全に使用することができる。
【０００９】
また、チャンネル座調整装置を、引き戸の外部からの操作により、チャンネル座を昇降可能に構成することができる。
【００１０】
これにより、チャンネル座の引き戸の下部方向への押し下げ操作を、引き戸の外部から簡単に行うことができる。
【００１１】
また、上記第２の目的を達成するため、本発明の間仕切り壁体を兼ねた引き戸を用いた間仕切り構造は、間仕切り壁体を兼ねた引き戸と、柱部材とからなり、柱部材を、天井面及び床面に配設したレールの位置に着脱可能に配設するようにしたことを特徴とする。
【００１２】
この間仕切り壁体を兼ねた引き戸を用いた間仕切り構造は、間仕切り壁体を兼ねた引き戸を用い、さらに、柱部材を天井面及び床面に配設したレールの位置に着脱可能に配設することにより、多様な間取りを簡易に実現することができる。
【００１３】
【発明の実施の形態】
以下、本発明の間仕切り壁体を兼ねた引き戸及びこの引き戸を用いた間仕切り構造の実施の形態を図面に基づいて説明する。
【００１４】
図１〜図５に、本発明の間仕切り壁体を兼ねた引き戸の一実施例を示す。
図において１は、引き戸Ｄの縦枠、２は引き戸Ｄの横枠で、この縦枠１の２本を引き戸Ｄの幅方向に平行になるようそれぞれ配設し、また横枠２の２本は、この平行に配設する縦枠１，１間の上下位置にそれぞれ架設して引き戸Ｄの枠体を縦長ロ字形に構成する。
【００１５】
この場合、上下に平行して配設する横枠２，２の中間位置にも横枠２と同様にして１又は２本の横桟（図示省略）を配設することもでき、この引き戸Ｄの枠体の構成は、従来の金属製引き戸の枠体の構成と同様に構成するため、その詳細説明は省略する。
【００１６】
下部の横枠２には、引き戸Ｄの荷重を支持し、かつ軽快に移動できるように、引き戸Ｄの両端位置に戸車３，３を取り付け、この戸車３，３により床面Ｆに敷設したレール４に沿って移動できるようにする。
この戸車３は、戸車本体３２を戸車枠３１に支軸を介して円滑に自由に回転するように支持して構成し、これを下部の横枠２の下面に形成した切欠部２１内に嵌挿するようにし、戸車枠３１を、下部の横枠２に、特に限定されるものではないが、ビスＢなどにより固定する。
なお、この場合、従来の構成と同じように、戸車本体３２の下面は下部の横枠２の下面より下方に少し突出し、床面Ｆに敷設したレール４の窪んだ溝４１と係止され、引き戸Ｄが円滑に移動できるようにする。
【００１７】
引き戸Ｄの枠体の下部全長に亘って、下部の横枠２の下部にチャンネル座５を、引き戸Ｄの上下方向に昇降可能に嵌挿する。
このチャンネル座５は、引き戸下部全長に亘り嵌挿する断面形状を有し、例えば、断面コ字形とし、この対向する側片５１，５１の内部空間内に下部の横枠２を嵌挿できるようにする。
この場合、側片５１と下部の横枠２の外側面との間には、引き戸Ｄの上下方向にチャンネル座５を昇降可能とするが、隙間は余り生じないようにするとともに、底片５２の下底面には、戸車３，３を配設した箇所を除く、チャンネル座５の全長に亘って、床面に敷設したレール４の溝４１にしっくりと嵌合する形状、具体的には、図示のように断面三角形とした突条片５３を突設する。
なお、この突条片５３の突出量は、チャンネル座５内の定位置まで引き戸下部が嵌挿され、通常の引き戸Ｄとして使用する場合、引き戸下面に突出する戸車３の下面より上位置となるように設定する。
また、突条片５３は、戸車３，３を配設した箇所を除く、チャンネル座５の全長に亘って突設することができる。この場合、突条片５３を、チャンネル座５の全長に亘って突設することにより、間仕切り兼用引き戸によって仕切られた空間の防音性及び密閉性を一層向上することができるものとなる。
【００１８】
また、引き戸Ｄの下部内、詳しくは、縦枠１の下部内に、チャンネル座調整装置６を内蔵する。
このチャンネル座調整装置６は、チャンネル座５を引き戸Ｄの下部方向へ引き戸Ｄの荷重に抗して押し下げることができるように構成する。
このチャンネル座調整装置６は、特に限定されるものではないが、図３に示すように、縦枠１内下部に固定されたケーシング６０内に、互いに咬み合わされた１組の傘歯車６１，６２をそれぞれ回動可能に支持し、この一方の傘歯車６２に係止され、傘歯車６２と共に回動するようにしたねじ杆６３を突設し、チャンネル座５の内部にビス６５にて固定された螺合体６４を、ねじ杆６３に螺合して構成する。
なお、傘歯車６１，６２は、ウォームとウォームホイール（図示省略）で構成することもできる。
【００１９】
そして、この引き戸Ｄを図１、図２及び図５（Ａ）に示すように、引き戸として使用しているときは、チャンネル座５は、縦枠１の下部に添い、戸車本体３２の下面は、床面に敷設したレール４の溝４１にて支持され、自由に移動するようにされる。
【００２０】
一方、この引き戸Ｄを間仕切り壁として使用する場合には、縦枠１の側面に形成した操作用孔Ｈの位置に回転可能に支持した傘歯車６１に形成した操作用の孔、例えば、六角孔６１ａに六角レンチ等の操作工具（図示省略）を挿入し、傘歯車６１を回動することにより、傘歯車６１と噛合した傘歯車６２を介してねじ杆６３が回動される。
また、このねじ杆６３には、螺合体６４が螺合されているため、ねじ杆６３も共に回動し、ねじ杆６３の回動方向に応じて螺合体６４が昇降する。この螺合体６４はチャンネル座５に固定されているので、螺合体６４の移動によりチャンネル座５も共に昇降移動するようになる。
この場合、螺合体６４の移動によりチャンネル座５を引き戸Ｄの下部方向へ、しかも引き戸Ｄの荷重に抗して押し下げるようにすることにより、引き戸Ｄを持ち上げるようになり、天井面Ｃ側或いは垂れ壁下面に配設した鴨居側に引き戸Ｄを押圧するとともに、下部のレール４にも押圧され、引き戸Ｄは固定され、間仕切り壁体となる。
【００２１】
なお、引き戸Ｄの上端は、図４（Ａ）、（Ｂ）に示すように、従来の引き戸と同様に天井面Ｃに配設した上部のレールにて移動可能に係止する。
この上部のレールとしては、図４（Ａ）に示すように、鴨居Ｋを採用し、この溝Ｋｍに嵌挿できるように突片Ｄ１を引き戸Ｄの上端全長に亘って形成することもできるし、また、図４（Ｂ）に示すように、引き戸Ｄの上端両端部分にピンＰ，Ｐを、ばねＳの弾発力により出没可能にして突設し、このピンＰ，Ｐを天井面Ｃに埋設又は配設した上部ガイドレールＧに嵌挿するようにすることもできる。
なお、ピンＰ，Ｐの上端は引き戸Ｄが押し上げられるとき、金属ガイドＧ１の溝Ｇｍの内底面にて押圧されて没するよう金属ガイドＧ１内に嵌挿される。
また、この上部ガイドレールＧは、特に限定されるものではないが、鴨居Ｋを用い、この溝内に、溝内面に添うように金属ガイドＧ１を嵌合係止して構成し、これによりピンＰ，Ｐが嵌挿移動する際、その摩耗を低減することができる。
また、上部のレールが、鴨居Ｋ又は鴨居Ｋの溝Ｋｍ内に金属ガイドＧ１を嵌合係止して構成したガイドレールＧであっても、天井面Ｃに配設する際、天井内に埋設し、これにより引き戸Ｄの上端を押しつけて間仕切り壁体と使用する場合でも、天井面Ｃと引き戸Ｄの上端との間に隙間が生じないように、また美的感覚を良くするようにすることができる。
この上部のレールは、天井面に埋設する以外に、垂れ壁（図示省略）の下面に配設することもできる。
【００２２】
次に、この間仕切り壁体を兼ねた引き戸の動作について説明する。
通常の引き戸Ｄとして使用する場合は、図５（Ａ）に示すように、上下に対峙して配設される上部のレールと下部のレール４との間に引き戸Ｄを嵌め合わせることにより、引き戸Ｄはレール４上を戸車３が転動することにより軽快に移動させることができる。
なお、この引き戸Ｄは複数本、敷設されたレール４及び上レールＧにて支持されて、レール４に沿って移動させることにより、部屋間などの開口部を開閉することができる。
【００２３】
次に、この引き戸Ｄを間仕切りとして使用する場合には、特に限定されるものではないが、図５（Ｂ）に示すように、引き戸Ｄは、複数列に敷設されたレール４，４で、間仕切り位置となるレール以外に嵌め合わされている引き戸Ｄを、上部のレールと下部のレール４の間より取り外して間仕切り位置となる上部のレールと下部のレール４間に、１列状に配列されるように嵌め合わせる。
このとき、隣接する引き戸Ｄ，Ｄ間には隙間が生じないようにするが、この隣接引き戸間の調整は、特に限定されることなく、後からでも行える。
間仕切り位置のレール４に１列状に嵌め合わせて配列した各引き戸Ｄのチャンネル座調整装置６の傘歯車６１を、引き戸Ｄの外部から挿入する六角レンチ等の操作工具（図示省略）にて回動すると、これにより、傘歯車６２、ねじ杆６３、螺合体６４を介して各引き戸Ｄの下部に配設されたチャンネル座５は、下方向に押し下げられるようになる。
このチャンネル座５の押し下げにより、レール４の溝４１内にチャンネル座５の突条片５３が嵌合され、さらにチャンネル座５を押し下げることにより、戸車３を浮き上がらせレール４の溝４１より浮上するようになる。
【００２４】
さらに、チャンネル座５を押し下げるようにすると、引き戸Ｄはさらに持ち上げられるようになり、上部のレール面に引き戸上面が圧接するようになる。
これにより、上部のレールと引き戸Ｄの上面との間の隙間がなくなり、引き戸Ｄの下部においては、レール４の溝４１内にチャンネル座５の突条片５３が嵌合されることにより隙間がなくなるとともに、レール４の溝４１内に突条片５３が係止されるようになり、引き戸Ｄに横からの圧力を受けても外れることなく、しかも上部のレール及び下部のレール４と引き戸Ｄとの間に隙間がなく、隣室の照明の光線や、喫煙者の煙、会話の声などが漏れることがなく、間仕切り兼用引き戸によって仕切られた空間の防音性及び密閉性を保つことができる。
【００２５】
以上、本発明の間仕切り壁体を兼ねた引き戸について、その実施例に基づいて説明したが、本発明は上記実施例に記載した構成に限定されるものではなく、その趣旨を逸脱しない範囲において適宜その構成を変更することができるものである。
そして、実際の使用に際しては、例えば、図６（Ａ）〜（Ｄ）に示すように、床面に敷設するレール４の敷設状態に応じて、自由度をもって、間仕切り壁を形成することができる。
なお、床面に敷設するレール４の数は、１本又は２本（又はそれ以上）のいずれでもよいが、チャンネル座調整装置の操作性等を考慮すると、２本（又はそれ以上）とすることが望ましい。
【００２６】
さらに、図７に示すように、本発明の間仕切り壁体を兼ねた引き戸Ｄと、天井面に配設した上部のレール（図４参照）と床面Ｆに敷設したレール４間に着脱可能に配設するようにした柱部材７とを組み合わせて用いることにより、多様な間取りを簡易に実現することができる。
すなわち、図７（Ａ）に示すように、床面Ｆにレール４を交差して敷設し（この場合、レール４が交差する位置には、図７（Ｄ）に示すように、レール４が交差する位置を引き戸Ｄが自由に移動できるように、交差する両方のレール４の溝４１が不連続にならないような溝４１Ａを形成した交差部材４Ａを配設することが望ましい。また、床面Ｆに敷設するレール４に対応して、天井面に上部のレールを、必要に応じて、同様の交差部材を使用して、配設するようにする。）、図７（Ｂ）又は図７（Ｃ）に示すように、天井面及び床面に配設したレールが交差する任意の位置に、天井面及び床面に配設したレール間に跨るようにして、着脱可能な柱部材７を配設する（この場合、柱部材７は、ダボ穴等を介して、天井面及び床面に配設したレール若しくは交差部材又はその近傍位置に固定するようにすることが望ましい。）ようにする。
このように、間仕切り壁体を兼ねた引き戸Ｄを用い、さらに、柱部材７を天井面及び床面に配設したレールの位置に着脱可能に配設することにより、容易に変更できる多様な間取りを簡易に実現することができるとともに、この間仕切り構造は、柱部材７によって強固に補強されているため、仕切られた空間の防音性及び密閉性を一層向上することができるものとなる。
【００２７】
【発明の効果】
本発明の間仕切り壁体を兼ねた引き戸によれば、上部レール及び下部レールに沿って移動できるようにした引き戸において、戸車を備えた引き戸の下部に引き戸の全長に亘って、戸車の下部を露出可能とし、かつ引き戸の上下方向に昇降可能に嵌挿した断面コ字形のチャンネル座を配設するとともに、該チャンネル座の平面状の下底面に、戸車を配設した箇所を除くチャンネル座の全長に亘って、戸車が嵌入して走行する下部レールの断面三角形の溝と嵌合する断面三角形の突条片を突設し、前記チャンネル座を引き戸の下部方向へ引き戸の荷重に抗して押し下げ、引き戸を持ち上げ、上部レール及び下部レール間に隙間が生じないように固定するようにしたチャンネル座調整装置を引き戸内に配設することにより、チャンネル座調整装置を操作することによって、引き戸の下部方向へ引き戸の荷重に抗して押し下げ、引き戸を持ち上げるようにして、天井面（上部レール）と引き戸上部との間及び床面（レール）と引き戸下部との間に隙間が生じないようにするとともに、チャンネル座の押し下げ力により、引き戸を、天井面（上部レール）と床面（レール）との間に、確実に固定することができ、これによって、簡易に間仕切り壁を形成し、間仕切り兼用引き戸によって仕切られた空間の防音性及び密閉性を保つことができる。
【００２８】
また、チャンネル座を押し下げるだけで、戸車に代わって突条片がレールに嵌合され、かつ引き戸が持ち上げられるようになり、レールと引き戸との間に隙間のない仕切り壁が形成され、かつレールに突条片が係止されているので、引き戸が側面から押圧力を受けても妄りに外れることなく、安全に使用することができる。
【００２９】
また、チャンネル座調整装置を、引き戸の外部からの操作により、チャンネル座を昇降可能に構成することにより、チャンネル座の引き戸の下部方向への押し下げ操作を、引き戸の外部から簡単に行うことができる。
【００３０】
また、本発明の間仕切り壁体を兼ねた引き戸を用いた間仕切り構造によれば、間仕切り壁体を兼ねた引き戸を用い、さらに、柱部材を天井面及び床面に配設したレールの位置に着脱可能に配設することにより、多様な間取りを簡易に実現することができるとともに、この間仕切り構造は、柱部材によって強固に補強されているため、仕切られた空間の防音性及び密閉性を一層向上することができる。
【図面の簡単な説明】
【図１】  本発明の間仕切り壁体を兼ねた引き戸の一実施例の引き戸として使用する状態を示し、（Ａ）は縦断正面図、（Ｂ）は縦断側面図、（Ｃ）は底面図である。
【図２】  間仕切り壁として使用する状態を示し、（Ａ）は縦断正面図、（Ｂ）は縦断側面図である。
【図３】  チャンネル座調整装置を示す断面図である。
【図４】  引き戸上部を示し、（Ａ）は鴨居式を、（Ｂ）はピン・ガイドレール式を示す断面図である。
【図５】  本発明の間仕切り壁体を兼ねた引き戸の使用状態を示し、（Ａ）引き戸として、（Ｂ）は間仕切り壁体として使用する場合を示す。
【図６】  本発明の間仕切り壁体を兼ねた引き戸の使用形態の例を示す説明図である。
【図７】  本発明の間仕切り壁体を兼ねた引き戸を用いた間仕切り構造の一実施例を示し、（Ａ）はレールの敷設状態の説明図、（Ｂ）、（Ｃ）は間仕切り例の説明図、（Ｄ）はレールの交差部分の説明図である。
【符号の説明】
Ｄ    引き戸
１    縦枠
２    横枠
３    戸車
３１  戸車枠
４    レール
４１  溝
４Ａ  交差部材
５    チャンネル座
５３  突条片
６    チャンネル座調整装置
７    柱部材
【図１】
0003886368.tif 000002
【図２】
0003886368.tif 000003
【図３】
0003886368.tif 000004
【図４】
0003886368.tif 000005
【図５】
0003886368.tif 000006
【図６】
0003886368.tif 000007
【図７】
0003886368.tif 000008